(57)【特許請求の範囲】
【請求項１】
手術用の術部保護シートを保持する保護シート保持部材であって、
生理食塩水を含浸した複数の術部保護シートが、前記生理食塩水を利用して張り付けられる表面と、
裏面と、
を備え、
前記表面および前記裏面が、熱可塑性樹脂により形成された薄板状の本体部の両主面であり、
前記本体部の手術用ドレープへの取り付けに利用される取付部をさらに備え、
前記取付部が、前記本体部に形成された穴であり、
前記手術用ドレープの前記穴に重なる部位が前記本体部の両側から挟まれることにより、前記本体部が前記手術用ドレープに取り付けられることを特徴とする保護シート保持部材。
【請求項２】
請求項１に記載の保護シート保持部材であって、
他の取付部をさらに備え、
前記本体部が略矩形状であり、
前記取付部が、前記本体部の第１エッジの中央部近傍に設けられ、
前記他の取付部が、前記本体部の前記第１エッジに隣接する第２エッジの中央部近傍に設けられることを特徴とする保護シート保持部材。
【請求項３】
請求項１または２に記載の保護シート保持部材であって、
前記表面がシボ面であることを特徴とする保護シート保持部材。
【請求項４】
手術用の術部保護シートを保持する保護シート保持部材であって、
生理食塩水を含浸した複数の術部保護シートが、前記生理食塩水を利用して張り付けられる表面と、
裏面と、
を備え、
前記表面および前記裏面が、熱可塑性樹脂により形成された薄板状の本体部の両主面であり、
前記本体部の手術用ドレープへの取り付けに利用される取付部および他の取付部をさらに備え、
前記本体部が略矩形状であり、
前記取付部が、前記本体部の第１エッジの中央部近傍に設けられ、
前記他の取付部が、前記本体部の前記第１エッジに隣接する第２エッジの中央部近傍に設けられることを特徴とする保護シート保持部材。
【請求項５】
手術用の術部保護シートを保持する保護シート保持部材であって、
生理食塩水を含浸した複数の術部保護シートが、前記生理食塩水を利用して張り付けられる表面と、
裏面と、
を備え、
前記表面および前記裏面が、熱可塑性樹脂により形成された薄板状の本体部の両主面であり、
前記本体部の手術用ドレープへの取り付けに利用される取付部をさらに備え、
前記表面がシボ面であることを特徴とする保護シート保持部材。
【請求項６】
請求項１ないし５のいずれかに記載の保護シート保持部材であって、
前記本体部がオレフィン系樹脂により形成されることを特徴とする保護シート保持部材。
【請求項７】
請求項６に記載の保護シート保持部材であって、
前記本体部がポリプロピレンにより形成されることを特徴とする保護シート保持部材。
【請求項８】
使い捨て医療機器セットであって、
請求項１ないし７のいずれかに記載の保護シート保持部材を含むことを特徴とする使い捨て医療機器セット。
【発明の詳細な説明】
【技術分野】
【０００１】
本発明は、手術用の術部保護シートを保持する保護シート保持部材、および、当該保護シート保持部材を備える使い捨て医療機器セットに関する。
【背景技術】
【０００２】
従来より、脳外科手術の際に、切開部から露出する脳を被覆して保護する術部保護シートが利用されている。例えば、特許文献１ないし４には、脳外科手術の際に神経組織を保護したり血液を吸収するために使用されるパッドが開示されている。
【先行技術文献】
【特許文献】
【０００３】
【特許文献１】特開２００２−３２５７７３号公報
【特許文献２】特開２００２−３２５７７４号公報
【特許文献３】意匠登録第１３９８５７８号公報
【特許文献４】意匠登録第１３９８８７２号公報
【発明の概要】
【発明が解決しようとする課題】
【０００４】
ところで、脳外科手術では、様々な大きさの術部保護シートを使用して脳表面等を被覆するため、複数種類の術部保護シートが看護師等の手元に準備される。そして、施術者は、必要とする大きさの術部保護シートを、複数の術部保護シートの中から取り上げる。脳外科手術では、多種類かつ多数の術部保護シートが使用されるため、施術者自身が所望の大きさの術部保護シートを選び出すことができるように、複数の術部保護シートをまとめて施術者の近傍に配置することが求められている。
【０００５】
本発明は、上記課題に鑑みなされたものであり、複数の術部保護シートをまとめて施術者の近傍にて容易に取り扱うことを目的としている。
【課題を解決するための手段】
【０００６】
請求項１に記載の発明は、手術用の術部保護シートを保持する保護シート保持部材であって、生理食塩水を含浸した複数の術部保護シートが、前記生理食塩水を利用して張り付けられる表面と、裏面とを備え、前記表面および前記裏面が、熱可塑性樹脂により形成された薄板状の本体部の両主面であり、前記本体部の手術用ドレープへの取り付けに利用される取付部をさらに備え、前記取付部が、前記本体部に形成された穴であり、前記手術用ドレープの前記穴に重なる部位が前記本体部の両側から挟まれることにより、前記本体部が前記手術用ドレープに取り付けられる。
【０００９】
請求項２に記載の発明は、請求項１に記載の保護シート保持部材であって、他の取付部をさらに備え、前記本体部が略矩形状であり、前記取付部が、前記本体部の第１エッジの中央部近傍に設けられ、前記他の取付部が、前記本体部の前記第１エッジに隣接する第２エッジの中央部近傍に設けられる。
【００１０】
請求項３に記載の発明は、請求項１または２に記載の保護シート保持部材であって、前記表面がシボ面である。
請求項４に記載の発明は、手術用の術部保護シートを保持する保護シート保持部材であって、生理食塩水を含浸した複数の術部保護シートが、前記生理食塩水を利用して張り付けられる表面と、裏面とを備え、前記表面および前記裏面が、熱可塑性樹脂により形成された薄板状の本体部の両主面であり、前記本体部の手術用ドレープへの取り付けに利用される取付部および他の取付部をさらに備え、前記本体部が略矩形状であり、前記取付部が、前記本体部の第１エッジの中央部近傍に設けられ、前記他の取付部が、前記本体部の前記第１エッジに隣接する第２エッジの中央部近傍に設けられる。
請求項５に記載の発明は、手術用の術部保護シートを保持する保護シート保持部材であって、生理食塩水を含浸した複数の術部保護シートが、前記生理食塩水を利用して張り付けられる表面と、裏面とを備え、前記表面および前記裏面が、熱可塑性樹脂により形成された薄板状の本体部の両主面であり、前記本体部の手術用ドレープへの取り付けに利用される取付部をさらに備え、前記表面がシボ面である。
【００１１】
請求項６に記載の発明は、請求項１ないし５のいずれかに記載の保護シート保持部材であって、前記本体部がオレフィン系樹脂により形成される。
【００１２】
請求項７に記載の発明は、請求項６に記載の保護シート保持部材であって、前記本体部がポリプロピレンにより形成される。
【００１３】
請求項８に記載の発明は、使い捨て医療機器セットであって、請求項１ないし７のいずれかに記載の保護シート保持部材を含む。
【発明の効果】
【００１４】
本発明では、複数の術部保護シートをまとめて施術者の近傍にて容易に取り扱うことができる。
【図面の簡単な説明】
【００１５】
【図１】一の実施の形態に係る保護シート保持部材を示す図である。
【図２】使い捨て医療機器セットを示す図である。
【図３】手術台上に横たわる患者を頭頂部側から見た図である。
【図４】保護シート保持部材近傍の拡大図である。
【発明を実施するための形態】
【００１６】
図１は、本発明の一の実施の形態に係る保護シート保持部材１を示す平面図である。保護シート保持部材１は、手術用の術部保護シート９を保持する部材である。術部保護シート９は、脳外科手術において脳の表面や脳神経を被覆し、脳の乾燥を防止したり脳神経等を保護するために使用される。保護シート保持部材１には、様々な大きさの複数の術部保護シート９が保持される。
【００１７】
図２に示すように、保護シート保持部材１は、医療処置の内容に合わせて用意された複数の使い捨ての医療機器のセットである使い捨て医療機器セット６に含まれている。保護シート保持部材１は、折り畳まれた状態のドレープ８等と共に、使い捨て医療機器セット６のトレイ６１に収容される。
【００１８】
図１に示す保護シート保持部材１は、熱可塑性樹脂により形成された薄板状の本体部２と、本体部２に形成された２つの略円形の穴３とを備える。本体部２は、好ましくはオレフィン系樹脂により形成され、より好ましくはポリプロピレン（ＰＰ）により形成される。本体部２は、平面視において略矩形状であり、４つの角部の輪郭は略円弧状である。本体部２の長辺を第１エッジ２３と呼び、短辺を第２エッジ２４と呼ぶと、一方の穴３は、本体部２の第１エッジ２３の中央部近傍に設けられ、他方の穴３は、第１エッジ２３に隣接する第２エッジ２４の中央部近傍に設けられる。本実施の形態では、本体部２の縦および横の長さは、約１４ｃｍおよび約１８ｃｍである。また、穴３の直径は、約１２ｍｍであり、穴３と本体部２のエッジとの最短距離は、約４ｍｍである。なお、本体部２および穴３の大きさや穴３の位置等は、適宜変更されてよい。
【００１９】
本体部２は、両主面である表面２１および裏面２２を備える。本体部２の表面２１はシボ面である。シボ面は、例えば、保護シート保持部材１の形成に利用される金型面に刻み込まれた微細パターンが、本体部２に転写されることにより形成される。シボ面の形成は、薬品加工等、他の方法により行われてもよい。本体部２の表面２１には、生理食塩水を含浸した複数の術部保護シート９が、生理食塩水により生じる張力（表面張力や界面張力等）を利用して張り付けられる。
【００２０】
本体部２の裏面２２は、シボ面であっても、通常の平滑面であってもよい。裏面２２がシボ面である場合、本体部２の表裏を気にすることなく保護シート保持部材１を利用することができる。また、裏面２２が平滑面である場合、保護シート保持部材１の製造コストを低減することができる。なお、裏面２２が平滑面である場合、表面２１と裏面２２とを容易に区別するために、表面２１および裏面２２の少なくとも一方に目印が設けられてもよい。目印としては、例えば、「表」等の文字や図形であってもよく、互いに異なる表面２１および裏面２２の色であってもよい。
【００２１】
術部保護シート９は、略矩形状の白色のシート本体９１、および、シート本体９１から延びるＸ線造影糸９２を備える。シート本体９１は、例えば、コットンやセルロース等により形成される。Ｘ線造影糸９２の色は、例えば、黒色、紺色または緑色である。術部保護シート９は、Ｘ線造影糸９２を有しないものもある。
【００２２】
保護シート保持部材１の本体部２の色は、例えば、オレンジ色、黄色または黒色である。本体部２の色がオレンジ色や黄色である場合は、本体部２上に張り付けられた術部保護シート９のＸ線造影糸９２の視認が容易となる。また、本体部２の色が黒色である場合は、本体部２上に張り付けられた術部保護シート９のシート本体９１の視認が容易となる。
【００２３】
図３は、手術台上に横たわる患者を頭頂部側から見た図である。患者は手術用ドレープ８（以下、単に「ドレープ８」という。）により覆われており、患者の頭部５がドレープ８に設けられた開口８１から露出している。図示はしていないが、施術者は、ドレープ８の手前側に配置された椅子に座り、手術用顕微鏡を介して頭部５の術野を見ながら手術を行う。
【００２４】
保護シート保持部材１は、ドレープ８の開口８１近傍（例えば、開口８１の側方）において、表面２１を施術者に対向させてドレープ８の清潔面８２に取り付けられる。具体的には、図４に示すように、保護シート保持部材１がドレープ８に重ねられ、ドレープ８の一方の穴３に重なる部位が、本体部２の両側（すなわち、表面２１側および裏面２２側）から手術用クリップ７（例えば、タオル鉗子）により挟まれる。手術用クリップ７（以下、単に「クリップ７」という。）の先端部７１は、穴３を介してドレープ８を挟むとともに、穴３のエッジの上端部、すなわち、穴３のエッジのうち本体部２の第１エッジ２３近傍の部位に当接する。これにより、保護シート保持部材１の本体部２がドレープ８に取り付けられる。換言すれば、保護シート保持部材１は、ドレープ８に固定されたクリップ７の先端部７１に係止される。
【００２５】
保護シート保持部材１では、上述の穴３が、本体部２のドレープ８への取り付けに利用される取付部の役割を果たす。本体部２の第２エッジ２４近傍に配置される他方の穴３も、同様に、本体部２のドレープ８への取り付けに利用される取付部の役割を果たす。
【００２６】
保護シート保持部材１では、本体部２の表面２１に複数の術部保護シート９が保持される。これにより、複数の術部保護シート９をまとめて施術者の近傍にて容易に取り扱うことができる。複数の術部保護シートをまとめて取り扱うという観点からは、ステンレス鋼等により形成された手術用の金属トレイ等に複数の術部保護シートを張り付けることも考えられる。しかしながら、金属トレイは比較的重く、取り扱いが容易とは言い難い。これに対し、本実施の形態に係る保護シート保持部材１では、本体部２が、上述のように熱可塑性樹脂により形成された薄板状の部材であり、金属トレイに比べて軽量である。このため、金属トレイ等により複数の術部保護シートを保持する場合に比べて、複数の術部保護シート９をまとめて、施術者の近傍にてより容易に取り扱うことができる。
【００２７】
保護シート保持部材１では、本体部２が熱可塑性樹脂により形成されることにより、金属トレイ等に比べて、照明光の反射が抑制されるため、本体部２の表面２１からの反射光が施術者等の視界を妨げることが抑制される。さらに、本体部２の表面がシボ面であるため、表面２１における照明光の反射がより一層抑制される。また、保護シート保持部材１が熱可塑性樹脂により形成されることにより、金属トレイ等に比べて照明光による表面２１の温度上昇が抑制される。その結果、表面２１上の術部保護シート９の乾燥を抑制することができる。このように、照明光の反射および表面２１の温度上昇を抑制することができる保護シート保持部材１は、比較的強い照明光が必要となる顕微鏡を利用した手術、特に、脳外科手術に適している。
【００２８】
保護シート保持部材１では、ドレープ８への取り付けに利用される取付部が設けられることにより、ドレープ８の施術者が使いやすい位置に保護シート保持部材１を取り付けることができる。保護シート保持部材１は、例えば、術野の近傍にてドレープ８に取り付けられる。これにより、施術者が術野から視線を大きく動かすことなく、保護シート保持部材１上の複数の術部保護シート９を視認し、使用したい大きさの術部保護シート９を得ることができる。その結果、手術を効率的に行うことができるとともに施術者の視線移動によるストレスを軽減することもできる。また、２つの取付部が、略矩形状の本体部２の第１エッジ２３近傍、および、第２エッジ２４近傍に設けられることにより、保護シート保持部材１を使用しやすい向きでドレープ８に取り付けることができる。
【００２９】
保護シート保持部材１では、取付部が本体部２に形成された穴３であり、ドレープ８の穴３に重なる部位が本体部２の両側から挟まれる。これにより、保護シート保持部材１を簡単な構成で安定してドレープ８に取り付けることができる。また、穴３が略円形であることにより、穴３のエッジの上端部が、クリップ７の先端部７１に自然に当接するとともにクリップ７の先端部７１からずれてしまうことが抑制される。その結果、保護シート保持部材１をより安定してドレープ８に取り付けることができる。
【００３０】
ところで、金属トレイ等を術部保護シートの保持に利用した場合、手術の終了後、金属トレイを洗浄したり滅菌する必要があり、看護師の作業が増大してしまう。一方、保護シート保持部材１の本体部２は、比較的安価な熱可塑性樹脂により形成されており、使用後は廃棄される。このため、看護師の負担を軽減することができる。
【００３１】
本体部２は、上述のように、オレフィン系樹脂により形成されることが好ましい。これにより、耐薬品性が高い保護シート保持部材１を提供することができる。また、本体部２は、ポリプロピレンにより形成されることがより好ましい。これにより、比較的安価であり、耐熱性も高く、適当な剛性を有する保護シート保持部材１を提供することができる。
【００３２】
以上、本発明の実施の形態について説明してきたが、本発明は上記実施の形態に限定されるものではなく、様々な変更が可能である。
【００３３】
取付部である穴３の形状は、長円、三角形、矩形等のように、略円形以外の様々な形状であってもよい。また、取付部として、穴３以外の構造が設けられてもよい。例えば、取付部として、本体部２に凹凸が形成され、ドレープ８が当該凹凸と共にクリップ７により挟まれる。クリップ７の先端部７１が当該凹凸に引っかかることにより、保護シート保持部材１がドレープ８に安定して取り付けられる。また、ドレープ８を挟持可能なクリップ等が、取付部として本体部２の上部や裏面２２に設けられてもよい。
【００３４】
本発明に関連する技術に係る保護シート保持部材１では、本体部２をドレープ８と共にクリップ７等で挟むことにより本体部２をドレープ８に取り付けることができるのであれば、取付部は必ずしも設けられなくてよい。また、本発明に係る保護シート保持部材１は、ドレープ８に取り付けられることなく、施術者の手元等、施術者の使いやすい位置に載置される等して使用されてもよい。
【００３５】
本体部２の平面視における形状は、略矩形状以外（例えば、略円形）であってもよい。また、本体部２は、ポリプロピレン以外のオレフィン系樹脂により形成されてもよく、オレフィン系樹脂以外の熱可塑性樹脂により形成されてもよい。例えば、本体部２は、ポリエチレン（ＰＥ）、ポリエチレンテレフタレート（ＰＥＴ）、エチレン酢酸ビニル（ＥＶＡ）、ポリカーボネイト（ＰＣ）またはポリアセタール（ＰＯＭ）により形成されてもよい。
【００３６】
保護シート保持部材１は、脳外科手術以外の切開手術において利用されてもよい。この場合も、保護シート保持部材１により、切開部から露出する組織を保護する複数の術部保護シート９をまとめて施術者の近傍にて容易に取り扱うことができる。
【００３７】
上記実施の形態および各変形例における構成は、相互に矛盾しない限り適宜組み合わされてよい。
【符号の説明】
【００３８】
１    保護シート保持部材
２    本体部
３    穴
８    ドレープ
９    術部保護シート
２１    表面
２２    裏面
２３    第１エッジ
２４    第２エッジ
【図１】
0006026114.tif 000002
【図２】
0006026114.tif 000003
【図３】
0006026114.tif 000004
【図４】
0006026114.tif 000005